(57)【特許請求の範囲】
【請求項１】
鶏卵を保持する孔部を複数開口した鶏卵収納容器において、前記孔部を設置面に対して５７ｍｍ以上の高さに設け、前記孔部の周縁の下面側に面取りを施して下面側から上面側に近づくにつれて前記孔部の中心に近づく傾斜面を形成したことを特徴とする鶏卵収納容器。
【請求項２】
前記孔部を設置面に対して６１ｍｍ以上の高さに設けたことを特徴とする請求項１に記載の鶏卵収納容器。
【請求項３】
前記孔部の内径を４０ｍｍ以上４２ｍｍ以下に形成したことを特徴とする請求項２に記載の鶏卵収納容器。
【請求項４】
前記傾斜面は前記孔部に倒立させて挿入したチューブ容器を抜き出す際に前記チューブ容器を案内することを特徴とする請求項１〜請求項３のいずれかに記載の鶏卵収納容器。
【請求項５】
請求項１〜請求項４のいずれかに記載の鶏卵収納容器を冷蔵室の開閉扉の背面に設けたドアポケット内に設置したことを特徴とする冷蔵庫。
【発明の詳細な説明】
【技術分野】
【０００１】
本発明は、鶏卵を保持する鶏卵収納容器に関する。また本発明は、開閉扉の背面側に鶏卵収納容器を備えた冷蔵庫に関する。
【背景技術】
【０００２】
従来の冷蔵庫が特許文献１に開示される。冷蔵庫の冷蔵室に設けられた開閉扉の背面には複数のドアポケットが設けられている。大型物品用のドアポケットにはペットボトルやビール瓶等といった背の高い貯蔵物を収納する。中型物品用のドアポケットには小径のチューブ容器に入ったねりわさびやねりからし等の薬味又は中径のチューブ容器に入ったマヨネーズやケチャップを収納する。また、ドアポケットには鶏卵を保持する孔部が複数開口した鶏卵収納容器を備える。
【先行技術文献】
【特許文献】
【０００３】
【特許文献１】特開２００８−１６４２８３号公報
【発明の概要】
【発明が解決しようとする課題】
【０００４】
しかしながら、中径のチューブ容器に入ったマヨネーズやケチャップはドアポケット内又は冷蔵室内に自立した状態で収納することができるが、内容量が減ってくると安定性を欠くために横倒しで収納されることが多くなる。チューブ容器を横倒しで乱雑に収納すると、ドアポケット内又は冷蔵室内の有効スペースが減る問題があった。
【０００５】
そこで本発明は、チューブ容器を効率よく整然と収納してドアポケット内又は冷蔵室内の有効スペースを確保することができる冷蔵庫を提供することを目的とする。
【課題を解決するための手段】
【０００６】
上記目的を達成するために本発明は、鶏卵を保持する孔部を複数開口した鶏卵収納容器において、前記孔部を設置面に対して５７ｍｍ以上の高さに設けたことを特徴としている。この構成によると、中径のチューブ容器を孔部に挿通したときにチューブ容器は先端が設置面から離された状態で支持され、倒立状態で安定的に保持される。
【０００７】
また本発明は、上記構成の鶏卵収納容器において、前記孔部を設置面に対して６１ｍｍ以上の高さに設けたことを特徴としている。
【０００８】
また本発明は、上記構成の鶏卵収納容器において、前記孔部の内径を４０ｍｍ以上４２ｍｍ以下に形成したことを特徴としている。
【０００９】
また本発明は、上記構成の鶏卵収納容器において、前記孔部の周縁の下面側に面取りを施したことを特徴としている。この構成によると、孔部に挿入されたチューブ容器の胴体部は孔部の周縁の上面側と当接し、下面側に対して離れる。
【００１０】
また本発明は、上記構成の鶏卵収納容器を冷蔵室の開閉扉の背面に設けたドアポケット内に設置したことを特徴としている。
【発明の効果】
【００１１】
本発明によると、鶏卵を保持する孔部に中径のチューブ容器を挿通させることによりチューブ容器を倒立させた状態で保持することができる。これにより、マヨネーズやケチャップ等の入った中径のチューブ容器を鶏卵収納容器に効率よく整然と収納することができ、冷蔵室又はドアポケット内の有効スペースを確保することができる。
【図面の簡単な説明】
【００１２】
【図１】本発明の実施形態に係る冷蔵庫を示す正面図
【図２】本発明の実施形態に係る冷蔵庫を示す側面図
【図３】本発明の実施形態に係る鶏卵収納容器の上面図
【図４】本発明の実施形態に係る鶏卵収納容器の側面図
【図５】本発明の実施形態に係る鶏卵収納容器の一部を示す断面図
【発明を実施するための形態】
【００１３】
以下に本発明の実施形態を図面を参照して説明する。図１は本実施形態に係る冷蔵庫１を示す正面図である。図２は本実施形態に係る冷蔵庫１を示す側面図であり、冷蔵室扉１３が開いた状態を示している。
【００１４】
冷蔵庫１は前面が開口する断熱箱体１０を備える。断熱箱体１０の外面は外箱９により形成され、背面は内箱（不図示）により形成される。外箱９は鉄板等の金属板から成り前面が開口した箱型に形成されている。内箱は樹脂成形品から成り、前面を開口した複数の冷却室が区分けして形成されている。外箱９と内箱との間には発泡ウレタン等の発泡断熱材が充填されている。
【００１５】
断熱箱体１０の上部には冷蔵室３が配され、冷蔵室３の下方には冷凍室４、６が配される。冷凍室６の下方には野菜室７が配され、冷凍室４の側方には製氷室５が配される。冷蔵室３の前面は冷蔵室扉（開閉扉）１３により開閉される。同様に各冷却室には開閉する開閉扉がそれぞれ設けられている。冷蔵室扉１３の背面にはドアポケット１４が設けられており、ドアポケット１４の内部には鶏卵収納容器３０が収納されている。鶏卵収納容器３０に鶏卵が保持される。
【００１６】
図３は鶏卵収納容器３０の上面図である。図４は鶏卵収納容器３０の側面図であり、チューブ容器Ｔが載置された状態を示す。鶏卵収納容器３０は樹脂成型品の箱体であり、鶏卵収容部３０の上面には孔部５１が複数開口した保持面４１を有する。保持面４１の周縁には下方に起立する脚部４２が設けられている。脚部４２を設置面に当接させたときに孔部５１を有する保持面４１は設置面に対して所定の高さＨに配される。各孔部５１に鶏卵又は鶏卵パックＰを挿入して鶏卵を安定的に保持することができる。
【００１７】
チューブ容器Ｔはマヨネーズ、ケチャップ等を収容する胴体部１１と蓋部１２とで構成される。胴体部１１は筒状の軟質材料で構成され、蓋部１２に近づくにつれ内径が小さくなっている。このため、チューブ容器Ｔを倒立状態で孔部５１に挿入すると、孔部５１の周縁が胴体部１１と当接する。このとき、孔部５１が胴体部１１を支持してチューブ容器Ｔの倒立状態を保持する。
【００１８】
孔部５１の設置面からの高さＨは５７ｍｍ以上に形成される。高さＨが５７ｍｍ未満の場合、チューブ容器Ｔの胴体部１１の形状によって異なるが、市販されている５００ｇのチューブ容器入りマヨネーズを孔部５１に挿入すると、蓋部１２と設置面が当接する。このとき、胴体部１１の外周面と孔部５１の内周面との間に隙間が生じる。このため、孔部５１は倒立状態のチューブ容器Ｔを安定的に保持することができない。なお、孔部５１の内径Ｄは鶏卵を安定的に保持するために下限値（４０ｍｍ）が規定されている。このため、内径Ｄを下限値より小さく形成して胴体部１１の外周面と孔部５１の内周面との間の隙間を減らすことはできない。また、３００ｇ入りや１５０ｇ入りのチューブ容器Ｔの場合においても胴体部１１の外周面と孔部５１の内周面との間に隙間が生じる。しかし、これらの容器は５００ｇ入りのチューブ容器Ｔと比較して背が低い。このため、傾倒しても孔部５１で支持されて倒立状態は安定的に保持される。
【００１９】
孔部５１の設置面からの高さＨを所定値以上の高さに設けた場合、蓋部１２は設置面に当接しない。このため、チューブ容器Ｔは設置面から持ち上げられた状態で孔部５１に保持される。このとき、内容物の荷重が全て孔部５１の周縁部にかかる。胴体部１１は軟質材料で構成されており、胴体部１１が孔部５１周縁に食い込む。これにより、チューブ容器Ｔは倒立状態で安定的に保持される。
【００２０】
また、孔部５１の内径Ｄは鶏卵を安定的に保持するための上限値として４２ｍｍで形成する場合がある。このとき、孔部５１の設置面からの高さＨは６１ｍｍ以上に形成されることが好ましい。これにより、市販されている５００ｇのチューブ容器Ｔ入りマヨネーズを内径Ｄが４２ｍｍの孔部５１に挿入して倒立状態で安定的に保持することができる。
【００２１】
なお、チューブ容器Ｔ内部には粘度が高く流動性の低いマヨネーズ、ケチャップ等が充填されている。このため、チューブ容器Ｔを倒立状態で保持すると内容物が蓋部１２に溜まる。したがって、内容物を蓋部１２から容易に絞り出すことができる。
【００２２】
図５は保持面４１の断面図であり、孔部５１周縁の下面側は面取り４１ａが施されている。これにより、孔部５１に挿入されたチューブ容器Ｔの胴体部１１は孔部５１の周縁の上面側と当接し、下面側に対して離れる。孔部５１に食い込む胴体部１１は孔部５１の当接位置の下方で径方向に僅かに突出する。このため、チューブ容器Ｔを抜き出す際に面取り４１ａによって胴体部１１の突出部分を案内して孔部５１の周縁と胴体部１１との引っかかりを防止し、円滑に抜き出すことができる。
【００２３】
表１はチューブ容器Ｔに入った内容物の保持安定性を孔部５１の設置面からの高さＨをパラメータとして評価した結果を示している。
【００２４】
市販品のチューブ容器に入った５００ｇのマヨネーズを試料Ａとし、３５０ｇのマヨネーズを試料Ｂとし、５００ｇのケチャップを試料Ｃとし、３００ｇのケチャップ試料Ｄとして準備した。次に内径Ｄが４０ｍｍの孔部５１に試料Ａ〜Ｄを倒立させた状態で挿入し、孔部の設置面からの高さＨを変えながら試料Ａ〜Ｄの安定性を評価した。高さＨは５７ｍｍ、５４ｍｍ、３５ｍｍにおいてそれぞれ評価した。同様にして、内径Ｄが４２ｍｍの孔部５１に試料Ａ〜Ｄを倒立させた状態で挿入し、孔部の設置面からの高さＨを変えながら試料Ａ〜Ｄの安定性を評価した。高さＨは６１ｍｍ、５８ｍｍ、３５ｍｍにおいてそれぞれ評価した。
【００２５】
【表１】
0005298160.tif 000002
【００２６】
内径Ｄが４０ｍｍの孔部５１において高さＨが５７ｍｍのとき、試料Ａ〜Ｄは蓋部１２が設置面から離れて安定して保持された（○）。一方、高さＨが５４ｍｍのとき、試料Ａ、Ｃは蓋部１２が設置面に当接して不安定な状態にあった（×）。高さＨが３５ｍｍのとき、試料Ａ〜Ｄを傾倒させたときに孔部でチューブ容器を支えきれなかった。このため、倒立状態が非常に不安定な状態にあった（×）。
【００２７】
内径Ｄが４２ｍｍの孔部５１において高さＨが６１ｍｍのとき、試料Ａ〜Ｄは蓋部１２が設置面から離れて安定して保持された（○）。一方、高さＨが５８ｍｍのとき、試料Ａ、Ｃは蓋部１２が設置面に当接して不安定な状態にあった（×）。高さＨが３５ｍｍのとき、試料Ａ〜Ｄを傾倒させたときに孔部でチューブ容器を支えきれなかった。このため、倒立状態が非常に不安定な状態にあった（×）。
【００２８】
本実施形態によると、鶏卵Ｅを保持する孔部５１を複数開口した鶏卵収納容器３０において、孔部５１を設置面に対して５７ｍｍ以上の高さに設けることにより、チューブ容器Ｔを内径Ｄが４０ｍｍの孔部５１に挿通したときにチューブ容器Ｔは先端が設置面から離された状態で支持され、倒立状態で安定的に保持される。また、鶏卵収納容器３０を冷蔵室１２の開閉扉１３の背面に設けたドアポケット１４内に設置することにより、チューブ容器Ｔに入ったマヨネーズやケチャップ等を鶏卵収納容器３０に効率よく整然と収納することができる。これにより、冷蔵室３又はドアポケット１４内の有効スペースを確保することができる。
【００２９】
また、鶏卵Ｅを保持する孔部５１を複数開口した鶏卵収納容器３０において、孔部５１を設置面に対して６１ｍｍ以上の高さに設けることにより、内径Ｄが４２ｍｍの孔部５１にチューブ容器を倒立させた状態で安定して保持することができる。
【００３０】
また、孔部５１の内径を４０ｍｍ以上４２ｍｍ以下に形成したことにより、鶏卵を安定して保持することができるとともに市販されている中径のチューブ容器Ｔを安定して保持することができる。
【産業上の利用可能性】
【００３１】
本発明によると、鶏卵収納容器を備えた冷蔵庫に利用することができる。
【符号の説明】
【００３２】
１                冷蔵庫
３                冷蔵室
４、６            冷凍室
５                製氷室
７                野菜室
９                外箱
１０              断熱箱体
１１              胴体部
１２              蓋部
１３              冷蔵室扉
１４              ドアポケット
３０              鶏卵収納容器
４１              保持面
４２              脚部
５１              孔部
Ｄ                内径
Ｐ                鶏卵パック
Ｔ                チューブ容器
【図１】
0005298160.tif 000003
【図２】
0005298160.tif 000004
【図３】
0005298160.tif 000005
【図４】
0005298160.tif 000006
【図５】
0005298160.tif 000007